【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  撮影して得られた画像データを記録するカメラ用記録メディアを適用する電子カメラに対して、当該カメラ用記録メディアにアクセスできるように接続可能な電子カメラ用ステーション装置であって、
バックアップ用記録メディアと、
前記電子カメラの接続に伴って、前記カメラ用記録メディア及び前記バックアップ用記録メディアのそれぞれに記録されている画像データを相互参照する手段と、
前記相互参照結果に基づいて、少なくとも前記カメラ用記録メディアに記録された新規の画像データを前記バックアップ用記録メディアにコピーするコピー手段と、
を具備したことを特徴とする電子カメラ用ステーション装置。
【請求項２】  前記電子カメラに接続した時点で、前記カメラ用記録メディアの空き記憶容量を検知する検知手段と、
前記検知手段により検知された空き記憶容量が所定値以下の場合に、前記カメラ用記録メディアにおいて新規の画像データを格納する記憶領域の確保に関係する処理を実行する制御手段を有することを特徴とする請求項１記載の電子カメラ用ステーション装置。
【請求項３】  前記制御手段は、前記空き記憶容量を通知する手段と、
所定の指示に応じて前記カメラ用記録メディアから指定された記録データを削除する手段とを含むことを特徴とする請求項２記載の電子カメラ用ステーション装置。
【請求項４】  撮影して得られた画像データを記録するカメラ用記録メディアを適用する電子カメラに対して、当該カメラ用記録メディアにアクセスできるように接続可能な電子カメラ用ステーション装置であって、
バックアップ用記録メディアと、
前記電子カメラの接続に伴って、前記バックアップ用記録メディアの空き記憶容量を検知する検知手段と、
前記検知手段により検知された空き記憶容量が確保されている場合に、前記カメラ用記録メディアに記録された全記録データを前記バックアップ用記録メディアにコピーするコピー手段と、
を具備したことを特徴とする電子カメラ用ステーション装置。
【請求項５】  前記検知手段により検知された空き記憶容量が不足している場合に、所定の指示に応じて前記バックアップ用記録メディアから指定された記録データを削除する手段を有することを特徴とする請求項４記載の電子カメラ用ステーション装置。
【請求項６】  前記電子カメラの接続を検知する検知手段と、
前記検知手段により前記電子カメラが接続されたことを検知されたときに、前記電子カメラの電源に充電動作を実行する充電手段と、
前記カメラ用記録メディアに記録された画像データを読出して、外部出力用として処理する出力手段と、
を有することを特徴とする請求項１記載又は請求項４記載の電子カメラ用ステーション装置。
【請求項７】  電子カメラと、当該電子カメラに接続する電子カメラ用ステーション装置とを有する電子カメラシステムであって、
前記電子カメラは、
充電可能な動作用電源と、
撮影して得られた画像データを記録するカメラ用記録メディアと、
当該カメラ用記録メディアに記録された画像データを読出して出力するための出力インターフェース手段とを備え、
前記電子カメラ用ステーション装置は、
前記電子カメラとの接続を検知する検知手段と、
前記動作用電源に充電動作を実行する充電手段と、
前記出力インターフェース手段から出力される画像データを受信する受信手段と、
前記受信手段により受信した画像データを記憶するバックアップ用記録メディアと、
前記電子カメラの接続に伴って、少なくとも前記カメラ用記録メディアに記録された新規の画像データを前記バックアップ用記録メディアにコピーするコピー手段と、
前記カメラ用記録メディアの空き記憶容量が所定値以下の場合に、前記カメラ用記録メディアにおいて新規の画像データを格納する記憶領域の確保に関係する処理を実行する手段とを備え、
前記電子カメラが前記電子カメラ用ステーション装置に載置されたときに接続されるように構成されたことを特徴とする電子カメラシステム。
【手続補正２】
【補正対象書類名】明細書
【補正対象項目名】０００８
【補正方法】変更
【補正の内容】
【０００８】
【課題を解決するための手段】
本発明の第１の観点は、電子カメラに接続して、例えば電子カメラの電源に充電する充電機能を備えた電子カメラ用ステーション装置に関する。本装置は、バックアップ用記録メディア（例えば、後述する前記カメラ用記録メディアの記憶容量以上の記憶容量を有する）と、カメラ用記録メディアに記録された画像データを前記のバックアップ用記録メディアにコピーするコピー手段とを備えている。
【手続補正３】
【補正対象書類名】明細書
【補正対象項目名】０００９
【補正方法】変更
【補正の内容】
【０００９】
具体的には、本発明の電子カメラ用ステーション装置は、電子カメラに接続すると、例えば充電動作を実行すると共に、当該電子カメラに適用するカメラ用記録メディアにアクセスし、記録されている画像データを読出してバックアップ用記録メディアにコピーする。従って、特にカメラ用記録メディアとして大容量のディスクドライブを使用した場合に、万が一当該ディスクドライブに支障が発生しても、電子カメラにより撮影、記録された画像データを確実に保護することが可能となる。
【手続補正４】
【補正対象書類名】明細書
【補正対象項目名】００１０
【補正方法】変更
【補正の内容】
【００１０】
本発明の第２の観点は、電子カメラと、前述の電子カメラ用ステーション装置とからなる電子カメラシステムに関する。本システムは、前記のバックアップ用記録メディア及びコピー手段以外に、カメラ用記録メディアの空き記憶容量が所定値以下の場合に、カメラ用記録メディアにおいて新規の画像データを格納する記憶領域の確保に関係する処理を実行する手段、及びカメラ用記録メディアに記録された画像データを読出して出力するための出力インターフェース手段を備えている。
【手続補正５】
【補正対象書類名】明細書
【補正対象項目名】００１１
【補正方法】変更
【補正の内容】
【００１１】
このようなシステムであれば、カメラ用記録メディアの記憶容量が不十分な場合に、当該カメラ用記録メディアに記録した画像データをバックアップ用記録メディアにコピーしているため、当該メディアの記録データを削除して空き領域を確保することが可能となる。また、出力インターフェース手段により、電子カメラに記録されている撮影画像データを、例えばパーソナルコンピュータやテレビジョン受像機などに転送することが容易となる。従って、電子カメラと、電子カメラ用ステーション装置とをシステムとして使用することにより、ユーザは前記のような多様な機能を利用することができる。
【手続補正６】
【補正対象書類名】明細書
【補正対象項目名】００４６
【補正方法】変更
【補正の内容】
【００４６】
【発明の効果】
以上詳述したように本発明によれば、特に記録メディアとしてディスクドライブを適用する電子カメラにおいて、当該ディスクドライブに記録された画像データをバックアップ用記録メディアにコピーができる。従って、電子カメラ側のドライブに支障が発生して、記録した画像データを読出すことが不可能になった場合でも、撮影した画像データを失うことなく利用することが可能となる。要するに、電子カメラにより撮影、記録された画像データを確実に保護することが可能となる。